(57)【要約】  カメラハウジングと透明な観察口カバーを含む監視カメラであり、カメラハウジングが頂面と側面を含み、側面が頂面の周辺に沿って延在して頂面に連なり、透明な観察口カバーがカメラハウジング上に非対称的に配置され、カメラハウジングの開口部を覆うように配設されて湾曲し、カメラハウジングの頂面を越えて突出している。
2009533996.tif 000002
【特許請求の範囲】
【請求項１】
監視カメラ（８）が、カメラハウジング（１０）と、透明な観察口カバー（１２）とを含み、
前記カメラハウジング（１０）が、頂面（１４）と、側面（１６）とを含み、前記側面（１６）が、前記頂面（１４）の周辺（１８）に沿って延在して前記頂面（１４）に連なり、
前記透明な観察口カバー（１２）が、前記カメラハウジング（１０）上に非対称的に配設され、かつ、前記カメラハウジング（１０）の開口部を覆うように配設され、湾曲していて、前記カメラハウジング（１０）の前記頂面（１４）を越えて突出している監視カメラ（８）。
【請求項２】
前記カメラハウジング（１０）内の前記開口部が前記頂面（１４）に部分的に配置され、前記側面（１６）の一部に部分的に配置される請求項１に記載された監視カメラ（８）。
【請求項３】
前記透明な観察口カバー（１２）が球の一部から成る請求項１から請求項２までのいずれか１項に記載された監視カメラ（８）。
【請求項４】
前記透明な観察口カバー（１２）が、円筒の一部から成る請求項１から請求項２までのいずれか１項に記載された監視カメラ（８）。
【請求項５】
前記監視カメラ（８）の前記頂面（１４）から見た平面投影において、前記カメラハウジング（１０）の中心から或る距離に前記透明な観察口カバー（１２）を配設することによって、前記透明な観察口カバー（１２）の非対称配置が実現されている請求項１から請求項４までのいずれか１項に記載された監視カメラ（８）。
【請求項６】
前記側面（１６）が、或る角度（α）で前記頂面（１４）から延在している請求項１から請求項５までのいずれか１項に記載された監視カメラ（８）。
【請求項７】
レンズ（５０）と、イメージセンサ（５２）とをさらに含み、
前記レンズ（５０）と前記イメージセンサ（５２）が、前記カメラハウジング（１０）の前記開口部内に配設され、前記透明な観察口カバー（１２）によって覆われている請求項１から請求項６までのいずれか１項に記載された監視カメラ（８）。
【請求項８】
ネットワークコネクタ（６６）を更に含み、
前記ネットワークコネクタ（６６）が、前記カメラハウジング（１０）内に配設され、前記カメラハウジング（１０）内の前記開口部から或る距離に位置して、前記頂面（１４）と事実上平行な平面に配設され、前記カメラハウジングによって覆われている請求項１から請求項７までのいずれか１項に記載された監視カメラ（８）。
【請求項９】
ＣＰＵ（中央処理装置）（５８）と、メモリ（６０，６２）と、電源回路（６４）とを更に含み、前記ＣＰＵ（５８）、前記メモリ（６０，６２）および前記電源回路（６４）が、前記カメラハウジング（１０）内に配設され、前記カメラハウジング（１０）の前記開口部から或る距離に位置して、前記頂面（１４）と事実上平行な平面内に配設され、前記カメラハウジング（１０）によって覆われている請求項７から請求項８までのいずれか１項に記載された監視カメラ（８）。
【発明の詳細な説明】
【技術分野】
【０００１】
本発明は、監視カメラに関するものである。
【背景技術】
【０００２】
監視は、空間が制限されている多くの領域に必要である。それらの領域の多くは部屋の高さが制限されている。例えば、地下室、バス、列車、地下鉄車両、エレベータ、通路および廊下などである。
【０００３】
通常、監視カメラは天井には取り付けられない。何故なら、例えば、監視カメラに頭をぶつけることにより監視カメラによって人が傷つくか、または怪我をする可能性が増すからである。それでも監視カメラがとにかく天井に取り付けられる場合、それらは凹所内に後退した状態で装着さるか、または、面一に装着される。しかし、ある種の環境では、天井内に後退した状態でカメラを設置することはできない。本発明は、これらの問題を解決するために、または、少なくともこれらの問題を軽減するために創考案されたものである。
【発明の開示】
【発明が解決しようとする課題】
【０００４】
本発明の１つの目的は、改良された監視カメラを提供することである。
【課題を解決するための手段】
【０００５】
前記目的は、請求項１に記載された監視カメラによって達成される。本発明の好ましい実施形態が従属請求項に記載されている。
【０００６】
特に、本発明の一観点によれば、前記目的は、カメラハウジングと、透明な観察口カバーとを含む監視カメラによって達成される。ここで、そのカメラハウジングは、頂面および側面を含み、該側面は、頂面の周辺に沿って延在して頂面に連なり、透明な観察口カバーは、カメラハウジング上に非対称的に配設され、かつ、カメラハウジングの開口部を覆うように配設され、湾曲していて、カメラハウジングの頂面を越えて突出している。本実施形態の１つの利点は、高さの低い十分に保護された監視カメラを作成できることである。後退した状態でカメラを装着する場合に必要である変更に比較して、カメラを装着する表面にさほどの変更を加えずに、高さの低いカメラを装着できる。カメラの高さが低ければ、人が傍を通る時に、カメラで怪我をする危険性が低減化される。
【０００７】
別の実施形態によれば、カメラハウジングの前記開口部が部分的に頂面に配置され、部分的に側面の一部に配置される。このことによって、監視カメラの高さを増大させずに視野角を大きくできる。
【０００８】
さらに別の実施形態によれば、透明な観察口カバーが球の一部から成る。
【０００９】
さらに別の実施形態によれば、透明な観察口カバーは円筒の一部を形成する。
【００１０】
さらに別の実施形態によれば、監視カメラの頂面側から見た平面投影において、カメラハウジングの中心から或る距離に透明な観察口カバーを設けることによって、透明な観察口カバーの非対称的配置構成が得られる。
【００１１】
さらに別の実施形態によれば、側面が頂面から或る角度で延在する。
【００１２】
さらに別の実施形態によれば、監視カメラが、レンズと、イメージセンサとを含み、レンズとイメージセンサは、カメラハウジングの開口部内に配設され、透明な観察口カバーによって覆われる。
【００１３】
さらに別の実施形態によれば、監視カメラが、ネットワークコネクタをさらに含み、ネットワークコネクタは、カメラハウジング内に配設され、カメラハウジング内で前記開口部から或る距離に位置して、頂面に対して事実上平行な平面に置かれ、カメラハウジングによって覆われる。
【００１４】
さらに別の実施形態によれば、監視カメラが、ＣＰＵ（中央処理装置）と、メモリと、電源回路とをさらに含み、これらＣＰＵ、メモリおよび電源回路は、カメラハウジング内の前記開口部から或る距離に位置して、ハウジング内で、頂面と事実上平行な平面に置かれ、カメラハウジングによって覆われる。
【００１５】
本発明の更なる技術的範囲は、以下の詳細な説明から明らかになるだろう。しかし、詳細な説明、および、本発明の好適例を示す具体例は、単なる例示である。当業者であれば、本発明の精神および技術的範囲での種々の変更および修正は、以下の詳細な説明から明らかになるだろう。
【００１６】
本発明のその他の特徴および利点は、添付図面を見ながら行なう以下の好適例の説明から明らかになるだろう。
【実施例】
【００１７】
図１ａ〜図１ｄに、監視カメラ８が示されている。監視カメラ８は、カメラハウジング１０と、透明な観察口カバー１２とを含む。
【００１８】
カメラハウジング１０は、事実上平坦な頂面１４と、側面１６とを含む。側面１６は、頂面１４の周辺１８に沿って延在し、頂面１４の周辺１８に沿って頂面１４に連なっている。さらに、側面１６は、ハウジング１０を形成するために、頂面１４に対して角度αで頂面１４から延在している。角度αは、頂面１４の周辺１８に沿う位置に応じて変化してもよい。一例によれば、より滑らかな外観を提供するために、また、特に装着時における、乱暴な取扱いまたは処置処理によく耐えるようにするために、αは９０度よりも大きな角度になされる。さらに、側面１６は、頂面１４の周辺１８から或る距離位置で頂面１４に対してさらに角度を付すことができる。例えば、図１ｃ〜図１ｄの位置２０における側面１６の追加の角度を参照されたい。
【００１９】
透明な観察口カバー１２は、カメラハウジング１０内の開口部を覆い、カメラハウジング上に非対称的に配置されている。すなわち、それは、監視カメラ８の頂面１４側から見た平面投影において、カメラハウジング１０の中心から或る距離に配設されている。
【００２０】
一例によれば、カメラハウジング１０の開口部は、頂面１４の開口部と側面１６の開口部との組合せとして形成されている。
【００２１】
したがって、開口部は、部分的に頂面１４の縁によって規定され、部分的に側面１６の縁によって規定される。頂面１４の前記縁は、円の一部に沿って延在し、側面１６の前記縁は、円の一部に沿って延在することができる。これらの２つの縁の組合せがカメラハウジング１０内の開口部を形成する。
【００２２】
図１ａ〜図１ｄに示すように、側面１６の開口部は、カメラハウジング１０内のノッチとして記述することができる。この実施形態においては、観察口カバー１２が、頂面１４から頂面１４の周辺１８を通過し、頂面１４の周辺１８から或る距離にある側面１６上のある位置まで延在する。
【００２３】
開口部を非対称的に配置することによって、および開口部を頂面１４以外に側面１６内に配置することによって、監視カメラ８は高さを非常に低くすることができると同時に、大きな傾斜角にすることができる。図に示す実施形態の監視カメラ８の可能な傾斜角は９０度より大きい。
【００２４】
一例によれば、透明な観察口カバー１２は凸状の曲面形状であり、カメラハウジング１０の頂面１４を越えて突出する。図１ａ〜図１ｄに示す実施形態においては、これは観察口カバー１２を球面形状に形成することによって達成される。すなわち、観察口カバー１２は、球の一部として形成されている。もう１つの実施形態によれば、凸状の曲面形状の透明な観察口カバー１２は、円筒形として形成され、曲面がカメラハウジング１０から反対方向に向けられている。すなわち、観察口カバー１２は円筒の一部として形成されている。
【００２５】
透明な観察口カバー１２の凸状の曲面形状は下部にあるカメラの部分の堅牢な保護となっている利点がある。したがって、透明な観察口カバー１２の形状は、監視カメラ８を無用に変更するか、または破壊しようとする行為に対して保護する役割を果たす。さらに、カメラ全体を一緒に覆うカメラハウジング１０および透明な観察口カバー１２を提供することによって、カメラを周囲の環境から封止することができ、それによって高い湿度、低い温度、塵埃などに耐えることができる。
【００２６】
さらに、監視カメラ８は、図２および図３に示されているように、基板２２を含み、基板は頂面１４と事実上平行である。基板２２には、ケーブルの開口部２４を設けることができ、ネットワークケーブルの接続を可能にし、また必要な場合には、カメラハウジング１０の内部の電源ケーブルを接続することができる。ケーブルの開口部２４は、別の方法としては、カメラハウジング１０の側面１６に配置されていてもよく、または別の方法としては、コネクタ、例えば、ネットワークコネクタおよび電源コネクタが、カメラハウジング１０の側面１６に配置されていてもよい。
【００２７】
さらに、図４に示すように、監視カメラ８は、レンズ５０と、イメージセンサ５２と、ＩＳＣＵ（イメージセンサ制御ユニット）５４と、可撓性伝送媒体５６と、ＣＰＵ５８と、少なくともメモリ６０、６２、例えば、揮発性メモリ６０および／または不揮発性メモリ６２と、電源回路６４と、ネットワークコネクタ６６とを含む。画像を捕捉して配信するためのこれらの装置間の詳細な機能および対話は、監視カメラの当業者であれば周知である。
【００２８】
ここで図３、図４を見ると、一例による監視カメラは、１つの可動ユニット７０と、１つの定置ユニット７２とを含み、可動ユニット７０は、レンズ５０と、イメージセンサ５２とを含む。可動ユニット７０は、透明な観察口カバー１２と、レンズ５０とを介してイメージセンサ５２上に入射光を受けるために、カメラハウジング１０の開口部に配置される。可動ユニット７０は、レンズ５０の傾斜を可能にするために少なくとも傾斜軸線の周囲で回転可能である。しかし、一例によれば、可動ユニット７０は、例えば、ボールジョイントなどによって任意の方向に回転可能に配置される。
【００２９】
定置ユニット７２は、基板２２の一部である。定置ユニット７２は、カメラハウジングによって覆われ、透明な観察口カバー１２によって覆われている開口部内には位置していない。定置ユニット７２は、監視カメラを実施するために必要な他の電子装置および／または上記以外の他の電子装置、例えば、ＩＳＣＵ５４、ＣＰＵ５８、揮発性メモリ６０、不揮発性メモリ６２、電源回路６４、およびネットワークコネクタ６６などを含むことができる。ネットワークコネクタ６６は、ネットワークに接続するためのソケットまたはプラグであってもよい。しかし、それはまたネットワークケーブルのワイヤが回路基板に半田付けされる半田付け点であってもよい。このような場合、ネットワークソケットまたはネットワークプラグは、監視カメラから或る距離のところでこのケーブルに接続されていてもよい。
【００３０】
可撓性伝送媒体５６は、例えば、画像データ、および可動ユニット７０と定置ユニット７２との間の制御信号を転送するように配置される。可撓性伝送媒体５６は、フレキシブルケーブルまたは当業者に周知の任意の他の可撓性の接続であってもよい。
【００３１】
可動ユニット７０を事実上基板２２の平面内に配置し、定置ユニット７２を基板２２と同じ平面内に、および可動ユニット７０の隣に配置することによって、監視カメラの高さを最小限度まで低減することができる。すなわち、監視カメラが取り付けられる面から、その面から直交する方向に最も突出している監視カメラの部分までの距離を最小限度まで低減することができる。
【００３２】
本発明の一観点によれば、監視カメラにはイーサネット（登録商標）用の電源の手段によって電源が供給される。すなわち、電源がネットワークケーブルを介して供給される。しかし、別の実施形態の場合、監視カメラに、通常の電源を介して電源が供給され、監視カメラの電源回路に直接接続される。
【図面の簡単な説明】
【００３３】
【図１ａ】本発明による監視カメラの１つの実施形態の斜視図。
【図１ｂ】本発明による監視カメラの１つの実施形態の頂面図。
【図１ｃ】本発明による監視カメラの１つの実施形態の側面図。
【図１ｄ】本発明による監視カメラの１つの実施形態の前面図。
【図２】本発明による監視カメラの１つの実施形態の底面図。
【図３】本発明による監視カメラの内部、すなわち、カバーなしの監視カメラを示す。
【図４】本発明による監視カメラの１つの実施形態の機能部品の配置構成の概略図。
【図１ａ】
2009533996.tif 000003
【図１ｂ】
2009533996.tif 000004
【図１ｃ】
2009533996.tif 000005
【図１ｄ】
2009533996.tif 000006
【図２】
2009533996.tif 000007
【図３】
2009533996.tif 000008
【図４】
2009533996.tif 000009
【手続補正書】
【提出日】平成20年10月17日(2008.10.17)
【手続補正１】
【補正対象書類名】特許請求の範囲
【補正対象項目名】全文
【補正方法】変更
【補正の内容】
【特許請求の範囲】
【請求項１】
監視カメラ（８）が、カメラハウジング（１０）と、透明な観察口カバー（１２）とを含み、
前記カメラハウジング（１０）が、頂面（１４）と、側面（１６）とを含み、前記側面（１６）が、前記頂面（１４）の周辺（１８）に沿って延在して前記頂面（１４）に連なり、
前記透明な観察口カバー（１２）が、前記監視カメラの前記頂面（１４）側から見た平面投影において前記カメラハウジング（１０）の中心から或る距離に位置して前記カメラハウジング（１０）上に非対称的に配設され、かつ、前記カメラハウジング（１０）の開口部を覆うように配設されて湾曲し、前記カメラハウジング（１０）の前記頂面（１４）を越えて突出する球の一部から成り、
前記監視カメラが、前記頂面（１４）と事実上平行である基板（２２）と、１つの可動ユニット（７０）と、１つの定置ユニット（７２）とを含み、前記可動ユニット（７０）が、レンズ（５０）と、イメージセンサ（５２）とを含み、前記可動ユニット（７０）が、事実上、前記基板（２２）の平面に配設され、
前記定置ユニット（７２）が、事実上、前記基板（２２）と同じ平面で、前記可動ユニット（７０）に隣接して配設されていることを特徴とする監視カメラ（８）。
【請求項２】
前記可動ユニット（７０）が、任意方向に回転可能に配設されている請求項１に記載された監視カメラ（８）。
【請求項３】
前記カメラハウジング（１０）の前記開口部が前記頂面（１４）に部分的に配置され、前記側面（１６）の一部に部分的に配置されている請求項１または請求項２に記載された監視カメラ（８）。
【請求項４】
前記側面（１６）が、或る角度（α）で前記頂面（１４）から延在している請求項１から請求項３までのいずれか１項に記載された監視カメラ（８）。
【請求項５】
前記レンズ（５０）および前記イメージセンサ（５２）が、前記カメラハウジング（１０）の前記開口部に配設され、前記透明な観察口カバー（１２）によって覆われている請求項１から請求項４までのいずれか１項に記載された監視カメラ（８）。
【請求項６】
ネットワークコネクタ（６６）を更に含み、
前記ネットワークコネクタ（６６）が、前記カメラハウジング（１０）内に配設され、前記カメラハウジング（１０）の前記開口部から或る距離に位置して、前記頂面（１４）と事実上平行な平面に配設され、前記カメラハウジングによって覆われている請求項１から請求項５までのいずれか１項に記載された監視カメラ（８）。
【請求項７】
ＣＰＵ（中央処理装置）（５８）と、メモリ（６０，６２）と、電源回路（６４）とを更に含み、前記ＣＰＵ（５８）、前記メモリ（６０，６２）と前記電源回路（６４）が、前記カメラハウジング（１０）内に配設され、前記カメラハウジング（１０）の前記開口部から或る距離に位置して、前記頂面（１４）と事実上平行な平面に配設され、前記カメラハウジング（１０）によって覆われている請求項１から請求項６までのいずれか１項に記載された監視カメラ（８）。
【国際調査報告】
2009533996.tif 000010
2009533996.tif 000011